(57)【要約】      （修正有）【課題】天井面より下方からの作業で容易かつ見栄えのよい天井を構築することができる建物の天井構造を提供する。【解決手段】第４枠部３４側の終端に配置される第２天井パネルユニット６ｂ以外の第１天井パネルユニット６ａは、それぞれ天井パネルをパネル受部に支持させるとともに、第３係合部材の一部をユニット係止部によって上方向の動きが規制された状態で、第４枠部３４側から第１枠部側に向かってつぎつきにスライドさせて、隣接する天井パネルユニットの係合部材同士を係合させるだけで、天井の大部分を作り上げたのち、終端に配置される第２天井パネルユニット６ｂを、天井下側からビス固定できるようにした。【選択図】図１２
2019027039.tif 000002
【特許請求の範囲】
【請求項１】
第１枠部、この第１枠部に直交する第２枠部および第３枠部と、前記第１枠部に平行な第４枠部からなる矩形をして、複数の支柱によって支持された躯体枠部を有し、
矩形をした天井パネルと、この天井パネルの端縁に一体化された係合部材を備えた複数の天井パネルユニットが、前記第１枠部側から第４枠部側に向かって少なくとも１列に複数枚並べられるとともに、隣接して配置された天井パネルユニットの係合部材同士が係合して天井パネルが位置決めされている建物の天井構造であって、
前記天井パネルの端縁を下方から水平に受ける天井パネル受部と、この天井パネル受部の上方に天井パネル受部に対向して設けられたユニット係止部を備えるユニット支持部が、前記天井パネル受部の上面が同一平面上に配置されるように前記第１枠部、前記第２枠部および第３枠部に沿ってそれぞれ設けられているとともに、
前記第２枠部および第３枠部の前記ユニット支持部の第４枠部側の端縁と、第４枠部との間に、前記第４枠部に沿うように配置される終端側天井パネルユニットが入り込む幅の隙間部が形成されていて、
前記終端側天井パネルユニット以外の天井パネルユニットは、天井パネルの矩形の少なくともいずれかの１つの辺が前記ユニット支持部の天井パネル受部に支持されるとともに、その辺に設けられた係合部材の少なくとも一部が、前記ユニット係止部に上方向の動きが規制された状態に支持され、
前記終端側天井パネルユニットは、天井パネルの第４枠部側端縁に沿って端部固定部を備え、
この端部固定部の天井パネルから第４枠部側に張り出して設けられた部分が前記第４枠部側に設けられた固定部に受けられた状態で固定されていることを特徴とする建物の天井構造。
【請求項２】
終端側天井パネルユニットの端部固定部材が、第４枠部側端縁に沿って天井パネルから第４枠部側に張り出し、上方に凸となる固定溝部を有し、前記固定溝部の上底が、前記第４枠部から張り出すように設けられた固定部にビス止めされ、
板状をした蓋本体とこの蓋本体の一側面に設けられた１対の弾性嵌合部を備えた蓋部材が、前記弾性嵌合部が前記固定溝部内に弾性嵌合するとともに、前記蓋本体が、前記固定溝部全体を覆い、蓋本体の下面が前記天井パネルの下面と面一となるように装着されている請求項１に記載の建物の天井構造。
【請求項３】
終端側天井パネルユニットは、第２枠部および第３枠部に沿う天井パネルの端縁が、前記第２枠部または第３枠部にビス固定した受け部材によって下方から支持されている請求項１または請求項２に記載の建物の天井構造。
【請求項４】
横梁材が、隣接する天井パネルユニットの係合部材の係合部上方を臨むように、第２枠部に沿うユニット支持部と、第３枠部に沿うユニット支持部間に掛け渡されていて、
各天井パネルユニットの第１枠部側に係合部材に設けられた横梁固定部が、前記横梁材にビス固定されている請求項１〜請求項３のいずれかに記載の建物の天井構造。
【請求項５】
天井パネルユニットが複数列並設されていて、縦梁材が、第２枠部に直交する方向に隣接する天井パネルユニットの係合部材の係合部上方を臨むとともに、一端が横梁材に固定され、他端が隣接する横梁材、第１枠部および第４枠部のいずれかに固定されるとともに、
前記第２枠部に直交する方向に隣接する天井パネルユニットのいずれか一方の天井パネルユニットの係合部材に設けられた縦梁固定部が前記縦梁材にビス固定されている請求項４に記載の建物の天井構造。
【発明の詳細な説明】
【技術分野】
【０００１】
本発明は、たとえば、ポーチ、テラス、カーポート等の屋根が複数の支柱で支持された
建物の天井構造に関する。
【背景技術】
【０００２】
天井パネルを、複数並べて天井面を形成する方法として、以下のような方法が既に提案されている（特許文献１参照）。
すなわち、この方法は、図３３に示すように、断面Ｌ字形をした天井パネル支持用レール１００を建物躯体壁（図示せず）に沿って枠状に設けておき、天井パネル２００の両側端部を左右の天井パネル支持用レール１００の水平部１１０に受けさせた状態で左右の天井パネル支持用レール１００の一側から他側に向かって天井パネル２００を先の天井パネル２００と端面同士が密着するようにスライドさせる。
【０００３】
そして、一方の天井パネル２００の端縁に設けられた第１係合部材３００と、他方の天井パネル２００の端縁に設けられた第２係合部材４００とをつぎつぎに係合させるとともに、天井パネル２００と天井パネル２００の継ぎ目部分に押さえのための天井パネル保持具５００を天井パネル支持用レール１００の垂直部４００にビス固定する。
以上のように、この方法によれば、天井パネル支持レール１００間に掛け渡すだけで、天井パネル２００を天井高さ位置に支持することができるとともに、天井パネル２００をスライドさせて第１係合部材３００と、第２係合部材４００とを係合させることによって、天井パネル２００と天井パネル２００を端面同士が突き合った状態で連結保持することができ、天井を容易且つ見栄えよく施工することができる。
【先行技術文献】
【特許文献】
【０００４】
【特許文献１】特開2007-120118号公報
【発明の概要】
【発明が解決しようとする課題】
【０００５】
しかし、上記先に提案された天井構造の場合、天井パネル２００の上方に人が入る作業空間が必要である。
したがって、天井の上に、屋根が既に設けられていて、二重天井構造とするような場合には、上記のような天井構造を採用することができない。
【０００６】
そこで、天井の上に屋根が形成されていて、後から天井を形成するような二重天井構造とする場合には、屋根の下側に、まず、各天井パネルの周縁部を受ける桟材を格子状に取り付けた後、天井パネルの周縁部を桟材に下側からビス留めしているのが現状である。
しかしながら、１枚ずつ天井パネルの周縁部を多数のビスで留めなければならず、作業性が悪いとともに、天井面にビスの頭が露出するため、意匠性の点で問題もある。
【０００７】
本発明は、上記事情に鑑みて、天井面より下方からの作業で容易かつ見栄えのよい天井を構築することができる建物の天井構造を提供することを目的としている。
【課題を解決するための手段】
【０００８】
上記目的を達成するために、本発明にかかる建物の天井構造（以下、「本発明の天井構造」と記す）は、第１枠部、この第１枠部に直交する第２枠部および第３枠部と、前記第１枠部に平行な第４枠部からなる矩形をして、複数の支柱によって支持された躯体枠部を有し、矩形をした天井パネルと、この天井パネルの端縁に一体化された係合部材を備えた複数の天井パネルユニットが、前記第１枠部側から第４枠部側に向かって少なくとも１列に複数枚並べられるとともに、隣接して配置された天井パネルユニットの係合部材同士が係合して天井パネルが位置決めされている建物の天井構造であって、前記天井パネルの端縁を下方から水平に受ける天井パネル受部と、この天井パネル受部の上方に天井パネル受部に対向して設けられたユニット係止部を備えるユニット支持部が、前記天井パネル受部の上面が同一平面上に配置されるように前記第１枠部、前記第２枠部および第３枠部に沿ってそれぞれ設けられているとともに、前記第２枠部および第３枠部の前記ユニット支持部の第４枠部側の端縁と、第４枠部との間に、前記第４枠部に沿うように配置される終端側天井パネルユニットが入り込む幅の隙間部が形成されていて、前記終端側天井パネルユニット以外の天井パネルユニットは、天井パネルの矩形の少なくともいずれかの１つの辺が前記ユニット支持部の天井パネル受部に支持されるとともに、その辺に設けられた係合部材の少なくとも一部が、前記ユニット係止部に上方向の動きが規制された状態に支持され、前記終端側天井パネルユニットは、天井パネルの第４枠部側端縁に沿って端部固定部を備え、この端部固定部の天井パネルから第４枠部側に張り出して設けられた部分が前記第４枠部側に設けられた固定部に受けられた状態で固定されていることを特徴としている。
【０００９】
本発明の天井構造は、特に限定されないが、終端側天井パネルユニットの端部固定部材が、第４枠部側端縁に沿って天井パネルから第４枠部側に張り出し、上方に凸となる固定溝部を有し、前記固定溝部の上底が、前記第４枠部から張り出すように設けられた固定部にビス止めされ、板状をした蓋本体とこの蓋本体の一側面に設けられた１対の弾性嵌合部を備えた蓋部材が、前記弾性嵌合部が前記固定溝部内に弾性嵌合するとともに、前記蓋本体が、前記固定溝部全体を覆い、蓋本体の下面が前記天井パネルの下面と面一となるように装着されていることが好ましい。
【００１０】
すなわち、上記のような構成とすれば、終端側は、第４枠部側に設けた固定部に固定溝部の底をビス固定することによって、固定できる。すなわち、終端側の天井パネルユニットを固定するだけで、吹き上げなどにより、天井パネルが飛ばないしっかりとした天井を構築することができる。
また、蓋部材の蓋本体によってビス固定部が隠蔽されるので、天井面の意匠性にすぐれている。
【００１１】
本発明の天井構造は、特に限定されないが、終端側天井パネルユニットは、第２枠部および第３枠部に沿う天井パネルの端縁が、前記第２枠部または第３枠部にビス固定した受け部材によって下方から支持されていることが好ましい。
すなわち、終端側天井パネルユニットの、第２枠部および第３枠部に沿う部分を見栄えよくしっかりと支持固定することができる。
【００１２】
本発明の天井構造は、特に限定されないが、横梁材が、隣接する天井パネルユニットの係合部材の係合部上方を臨むように、第２枠部に沿うユニット支持部と、第３枠部に沿うユニット支持部間に掛け渡されていて、各天井パネルユニットの第１枠部側に係合部材に設けられた横梁固定部が、前記横梁材にビス固定されている構成とすることが好ましい。
すなわち、上記のような構成とすれば、天井パネルユニットと天井パネルユニットの接合部において、天井パネルがずれ動かないようにしっかりと固定できるとともに、天井パネルの下方への垂れ下がりを防止できる。
【００１３】
本発明の天井構造は、特に限定されないが、天井パネルユニットが複数列並設されていて、縦梁材が、第２枠部に直交する方向に隣接する天井パネルユニットの係合部材の係合部上方を臨むとともに、一端が横梁材に固定され、他端が隣接する横梁材、第１枠部および第４枠部のいずれかに固定されるとともに、前記第２枠部に直交する方向に隣接する天井パネルユニットのいずれか一方の天井パネルユニットの係合部材に設けられた縦梁固定部が前記縦梁材にビス固定されていることが好ましい。
すなわち、第２枠部に直交する方向に隣接する天井パネルユニットもしっかりとした固定状態とすることができるとともに、天井パネルの下方への垂れ下がりを防止できる。
【００１４】
本発明の天井構造は、特に限定されないが、夏場などの気温が高いときに膨張によって天井パネルと天井パネルとの端面が突き合って天井パネルが湾曲したり、ひずんだり、天井パネルユニットの係合部材の係合に支障が生じたりしないように、各天井パネルユニットを、係合部材の係合状態で、気温２０℃の常温に天井パネルと天井パネルとの間に隙間が形成される、係合部材の係合部に伸長方向のあそびが形成されるような構造とすることが好ましい。
なお、上記隙間およびあそびは、天井パネルの材質や大きさ、天井パネルに装着される係合部材の材質や大きさなどに応じて適宜決定される。
【発明の効果】
【００１５】
本発明の天井構造は、第１枠部、この第１枠部に直交する第２枠部および第３枠部と、前記第１枠部に平行な第４枠部からなる矩形をして、複数の支柱によって支持された躯体枠部を有し、矩形をした天井パネルと、この天井パネルの端縁に一体化された係合部材を備えた複数の天井パネルユニットが、前記第１枠部側から第４枠部側に向かって少なくとも１列に複数枚並べられるとともに、隣接して配置された天井パネルユニットの係合部材同士が係合して天井パネルが位置決めされている建物の天井構造であって、前記天井パネルの端縁を下方から水平に受ける天井パネル受部と、この天井パネル受部の上方に天井パネル受部に対向して設けられたユニット係止部を備えるユニット支持部が、前記天井パネル受部の上面が同一平面上に配置されるように前記第１枠部、前記第２枠部および第３枠部に沿ってそれぞれ設けられているとともに、前記第２枠部および第３枠部の前記ユニット支持部の第４枠部側の端縁と、第４枠部との間に、前記第４枠部に沿うように配置される終端側天井パネルユニットが入り込む幅の隙間部が形成されていて、前記終端側天井パネルユニット以外の天井パネルユニットは、天井パネルの矩形の少なくともいずれかの１つの辺が前記ユニット支持部の天井パネル受部に支持されるとともに、その辺に設けられた係合部材の少なくとも一部が、前記ユニット係止部に上方向の動きが規制された状態に支持され、前記終端側天井パネルユニットは、天井パネルの第４枠部側端縁に沿って端部固定部を備え、この端部固定部の天井パネルから第４枠部側に張り出して設けられた部分が前記第４枠部側に設けられた固定部に受けられた状態で固定されている。
【００１６】
したがって、第４枠部側の終端に配置される最後の一つの天井パネルユニット以外の天井パネルユニットは、それぞれ天井パネルを、天井パネルの矩形のいずれかの辺の下端部が天井パネル受部に支持されるとともに、係合部材の一部がユニット係止部に上方向の動きが規制された状態で、第４枠部側から第１枠部側に向かってつぎつきにスライドさせて、隣接する天井パネルユニットの係合部材同士を係合させるだけで、天井の大部分を作り上げることができる。
【００１７】
そして、第４枠部側の終端に配置される最後の天井パネルユニットは、第４枠部側に設けた固定部に端部固定部材をビス固定することによって、天井全体が完成する。
すなわち、天井裏側に人間が入り込む作業空間がなくても下側からの作業で天井を完成させることができる。しかも、終端側の天井パネルユニットを固定するだけで、吹き上げなどにより、天井パネルが飛ばないしっかりとした天井を構築することができる。
【図面の簡単な説明】
【００１８】
【図１】本発明の天井構造を備えた建物であるカーポートの第１の実施の形態をあらわし、同図（ａ）はその平面図、同図（ｂ）はその正面図、同図（ｃ）はその底面図である。
【図２】図１のカーポートのＸ−Ｘ線断面の切欠断面図である。
【図３】図１のカーポートの第１天井パネルユニットをあらわし、同図（ａ）はその平面図、同図（ｂ）はその正面図、同図（ｃ）はその底面図、同図（ｄ）はその側面図である。
【図４】図３の第１天井パネルユニットの第１係合部材部分の拡大断面図である。
【図５】図３の第１天井パネルユニットの第２係合部材部分の拡大断面図である。
【図６】図３の第１天井パネルユニットの第３係合部材部分の拡大断面図である。
【図７】図１のカーポートの第２天井パネルユニットをあらわし、同図（ａ）はその平面図、同図（ｂ）はその正面図、同図（ｃ）はその底面図、同図（ｄ）はその側面図である。
【図８】図１のカーポートの天井施工方法を説明する図であって、第１天井パネルユニットを第１パネル支持部材側にスライドさせる工程をあらわす断面図である。
【図９】図８の工程の後工程を説明する断面図である。
【図１０】図９の工程の後工程を説明する断面図である。
【図１１】図１のカーポートの横梁材の固定状態を説明する断面図である。
【図１２】図１のカーポートの終端側天井パネルユニットである第２天井パネルユニットの端部固定方法を説明する図であって、その固定前の状態をあらわす断面図である。
【図１３】第２天井パネルユニットの端部固定方法を説明する図であって、その固定後の状態をあらわす断面図である。
【図１４】図１のカーポートの終端側天井パネルユニットである第２天井パネルユニットの両側の固定方法を説明する図であって、その固定前の状態をあらわす断面図である。
【図１５】第２天井パネルユニットの両側の固定方法を説明する図であって、その固定後の状態をあらわす断面図である。
【図１６】第１の実施の形態の天井の施工方法を工程順に概略的に説明する図であって、同図（ａ）は、躯体枠部に第１ユニット支持部材、第２ユニット支持部材を取り付けた状態をあらわし、同図（ｂ）は１枚目の第１天井パネルユニットを取り付け位置までスライド移動させた状態をあらわしている。
【図１７】図１６の後工程を概略的に説明する図であって、同図（ａ）は、１枚目の第１天井パネルユニットを横梁材で支持させた状態をあらわし、同図（ｂ）は、第１天井パネルユニットを３枚目まで取り付けた状態をあらわしている。
【図１８】図１７の後工程を概略的に説明する図であって、同図（ａ）は、第１天井パネルユニットを４枚目まで取り付けた状態をあらわし、同図（ｂ）は第２受け部材を第２枠部および第３枠部に取り付けた状態をあらわしている。
【図１９】図１８の後工程をあらわし、同図同図（ａ）は、第２天井パネルユニットの端部を固定した状態をあらわし、同図（ｂ）は天井完成状態をあらわしている。
【図２０】第１天井パネルユニットの他の態様であって、同図（ａ）はその平面図、同図（ｂ）はその正面図、同図（ｃ）はその底面図、同図（ｄ）はその側面図である。
【図２１】第２天井パネルユニットの他の態様であって、同図（ａ）はその平面図、同図（ｂ）はその正面図、同図（ｃ）はその底面図、同図（ｄ）はその側面図である。
【図２２】本発明の天井構造を備えた建物であるカーポートの第２の実施の形態をあらわし、その屋根部部分の断面をあらわす一部切欠断面図である。
【図２３】図２２のカーポートの第１天井パネルユニットをあらわし、同図（ａ）はその平面図、同図（ｂ）はその正面図、同図（ｃ）はその底面図、同図（ｄ）はその側面図である。
【図２４】図２２のカーポートの第２天井パネルユニットをあらわし、同図（ａ）はその平面図、同図（ｂ）はその正面図、同図（ｃ）はその底面図、同図（ｄ）はその側面図である。
【図２５】図２２のカーポートの第３天井パネルユニットをあらわし、同図（ａ）はその平面図、同図（ｂ）はその正面図、同図（ｃ）はその底面図、同図（ｄ）はその側面図である。
【図２６】図２２のカーポートの第４天井パネルユニットをあらわし、同図（ａ）はその平面図、同図（ｂ）はその正面図、同図（ｃ）はその底面図、同図（ｄ）はその側面図である。
【図２７】図２３の第１天井パネルユニットと、図２４の第２天井パネルユニットの接合状態を説明する断面図である。
【図２８】図２７の直交方向の断面図である。
【図２９】第１の実施の形態の天井の施工方法を工程順に概略的に説明する図であって、同図（ａ）は、躯体枠部に第１ユニット支持部材、第２ユニット支持部材を取り付けた状態をあらわし、同図（ｂ）は１枚目の第１天井パネルユニットを取り付け位置にセットした状態をあらわしている。
【図３０】図２９の後工程をあらわし、同図（ａ）は、横梁材に第１天井パネルユニットを固定した状態をあらわし、同図（ｂ）は、縦梁材を横梁材と第１ユニット支持材に固定した状態をあらわしている。
【図３１】図３０の後工程をあらわし、同図（ａ）は、１枚目の第２天井パネルユニットを取り付け位置にセットした状態をあらわし、同図（ｂ）は、２枚目の天井パネルユニットを取り付け位置にセットした状態をあらわしている。縦梁材を横梁材と第１ユニット支持材に固定した状態をあらわしている。
【図３２】図３１の後工程をあらわし、第３天井パネルユニットと第４天井パネルユニットを取り付け位置にセットした状態をあらわす天井平面図である。
【図３３】従来の天井構造を説明する斜視図である。
【発明を実施するための形態】
【００１９】
以下に、本発明を、その実施の形態を参照して詳しく説明する。
図１は、本発明の天井構造を備えたカーポートの第１の実施の形態をあらわしている。
【００２０】
図１に示すように、このカーポートＡは、屋根部１ａと、この屋根部１ａを支持する４本の支柱２を備えている。
屋根部１ａは、図１および図２に示すように、矩形の躯体枠部３ａと、屋根本体部４ａと、内天井５ａを備えている。
【００２１】
躯体枠部３ａは、アルミニウムあるいはアルミニウム合金製型材を矩形に組み立てて形成されていて、第１枠部（桁材）３１と、第２枠部（桁材）３２、第３枠部（桁材）３３および第４枠部（桁材）３４を備え、４隅のコーナー部分がそれぞれ支柱２によって下方から支持されている。
各支柱２は、コンクリートベース２１に下端部が埋設された状態で垂直に立設されている。
なお、躯体枠部３ａの周壁面は、必要に応じて化粧板を張り付けたり、塗装を施したりしておいても構わない。
【００２２】
屋根本体部４ａは、躯体枠部３ａの上部内壁に支持された屋根材支持枠部４０と、この屋根材支持枠部４０と垂木４１等によって支持固定されて屋根面Ｒ１を形成する複数の屋根ふき材４２を備えている。
また、屋根面Ｒ１は、屋根材支持枠部４０の前枠４３側から後枠４４側に向かって下り勾配となっている。
後枠４４は、屋根面Ｒ１を流下した雨水を受ける横樋部４４ａを備えている。
【００２３】
内天井５ａは、躯体枠部３ａの内壁下部に支持固定されていて、天井面が水平になっている。
すなわち、内天井５ａは、図３に示す４枚の第１天井パネルユニット６ａと、図４に示す１枚の第２天井パネルユニット６ｂと、図８〜図１０に示すユニット支持部となる第１ユニット支持部材（奥行き受け材）７ａと、図２、図１１に示す２本の第２ユニット支持部材７ｂと、図１２、図１３に示す第１受け部材７ｃ、図１４、図１５に示す２つの第２受け部材８ａ、２つの固定部材８ｂ、４本の横梁材９ａを備えている。
【００２４】
第１天井パネルユニット６ａは、図３に示すように、天井パネル６１と、第１係合部材６２と、第２係合部材６３と、２つの第３係合部材６４を備えている。
天井パネル６１は、合成樹脂の芯材をアルミニウム板、ステンレス鋼板、鋼板等の金属板で挟み込んだ状態の複合板材で形成されていて、矩形をしている。
【００２５】
天井パネル６１の長手方向の寸法は、後述する２本の第２ユニット支持部材７ｂのパネル受部７４ｂの先端間の距離より長く、パネル受部７４ｂの基部間の距離より短くなっている。
第１係合部材６２、第２係合部材６３および第３係合部材６４は、それぞれアルミニウムあるいはアルミニウム合金製型材で形成されていて、それぞれリベット６０を介して天井パネル６１に固定されている。
【００２６】
そして、第１係合部材６２は、図４に示すように、ベース部６２ａと、係合部本体６２ｂを備えている。
ベース部６２ａは、天井パネル６１の短手方向に一端に一端縁が沿うようにリベット６０で天井パネル６１に固定されている。
【００２７】
係合部本体６２ｂは、ベース部６２ａの一端縁から垂直に立ち上がる立上り部６２ｃと、この立上り部６２ｃに対して天井パネル６１から遠ざかる方向に突設された係合突部６２ｄを備える断面略Ｌ字形をしている。
【００２８】
第２係合部材６３は、図５に示すように、ベース部６３ａと、梁固定部６３ｂを備えている。
ベース部６３ａは、天井パネル６１の短手方向に他端に一端縁が沿うようにリベット６０で天井パネル６１に固定されているとともに、一端縁側の平面に第１係合部材６２の係合突部６２ｄがはまり込む係合溝６３ｆが設けられている。
【００２９】
梁固定部６３ｂは、ベース部６３ａの一端縁から垂直に立ち上がる立上り部６３ｃと、この立上り部６３ｃに対し天井パネル６１の他端縁から遠ざかる方向に延出する固定部本体６３ｄを備えている。
固定部本体６３ｄは、図３に示すように、その長手方向に間欠的にビス挿通孔６３ｅが穿設されている。
【００３０】
２つの第３係合部材６４は、図６に示すように、それぞれ第１係合部材６２と同じ形状をしていて、一方が天井パネル６１の長手方向の一端中央部に、他方が天井パネル６１の長手方向の他端中央部に、ベース部６４ａの一部が天井パネル６１の端縁からはみ出るように、リベット６０によってベース部６２ａで天井パネル６１に固定されている。
図６中、６４ｂは係合突部である。
【００３１】
第２天井パネルユニット６ｂは、施工時に最終端に用いられる終端側天井パネルユニットであって、図７に示すように、第２係合部材６３に代えて第４係合部材６５を備えている以外は、上記第１天井パネルユニット６ａと同様になっている。
すなわち、第４係合部材６５は、図７、図１２、図１３に示すように、第１係合部材６２とは逆方向の天井パネル６１の短手方向の他端縁に沿って設けられていて、ベース部６５ａと、端部固定部６５ｂを備えている。
【００３２】
ベース部６５ａは、その一端が天井パネル６１の他端縁に沿うようにリベット６０を用いて天井パネル６１に固定されている。
端部固定部６５ｂは、図１２に示すように、固定部本体６５ｃと、固定部本体６５ｃと、ベース部６５ａを連結する連結部６５ｄを備えている。
【００３３】
連結部６５ｄは、ベース部６５ａ端縁から一方の鍔部６５ｄは、ベース部６５ａの端縁から天井パネル６１の側面に沿って下方に下がった後、天井パネル６１から遠ざかるように延出し、連結部６５ｄの下端面と天井パネル６１の下面との距離が、後述する蓋部材６６の蓋本体６６ａの厚みと同じになっている。
【００３４】
固定部本体６５ｃは、天井パネル６１から遠い側のコーナー部が斜めに切りかかれたような形状をした下方開口の溝状をしていて、上底に間欠的にビス挿通孔が穿設されている。
蓋部材６６は、合成樹脂の押出成形品であって、蓋本体６６ａと、２つの弾性嵌合部６６ｂを備えている。
【００３５】
蓋本体６６ａは、連結部６５ｄに一端部が受けられ、他端部が固定部本体６５ｃからはみ出る幅をした、固定部本体６５ｃと同じ長さの板状をしている。
２つの弾性嵌合部６６ｂは、それぞれ側面視略くの字形をしていて、くの字の折れ曲がりの内角同士が対面するとともに、くの字の折れ曲がり部間の距離が、固定部本体６５ｃの溝両側壁の間隔より少し幅広になっている。
【００３６】
第１ユニット支持部材７ａは、アルミニウムあるいはアルミニウム合金製型材で形成されていて、図８〜図１０に示すように、枠固定部７１と、係合突部係合部７２と、ユニット係止部７３を備えている。
枠固定部７１は、係合突部係合部７２の下端が、第１枠部３１の下端に一致するように第１枠部３１の壁面に間欠的にビス固定されている。
【００３７】
係合突部係合部７２は、係合突部６２ｄが係合する係合溝７２ａを備えている。
ユニット係止部７３は、枠固定部７１側から第４枠部３４側に延出し、第１天井パネルユニット６ａの係合突部６２ｄが係合溝７２ａ内に嵌り込んだ状態で、ベース部６２ａを固定するリベット６０の頭部に下端面が当接するように設けられている。
【００３８】
第２ユニット支持部材７ｂは、アルミニウムあるいはアルミニウム合金製型材で形成されていて、図１１に示すように、支持部材本体７４と、枠固定部７５を備え、第１枠部３１側を基端として第２枠部３２および第３枠部３３に沿って対称に設けられていて、全長が、４枚の第１天井パネルユニット６ａの天井パネル６１短手方向の合計寸法と略同じか少し短くなっている。
枠固定部７５は、支持部材本体７４の下端が、第２枠部３２の下端に一致するように第２枠部３２の壁面に間欠的にビス固定されている。
【００３９】
支持部材本体７４は、梁受部７４ａと、パネル受部７４ｂと、ユニット係止部７４ｃと、上記と同様の蓋部材６６を備えている。
梁受部７４ａは、上面で横梁材９ａを受けるようになっているとともに、下面側で開口する凹溝７４ｄを備えている。
【００４０】
凹溝７４ｄは、開口端に溝幅が両側に向かって拡幅する蓋本体受部７４ｅを備えている。
【００４１】
第１受け部材７ｃは、図１２および図１３に示すように、枠固定部７５ａと、パネル固定部７５ｂを備えている。
枠固定部７５ａは、第４枠部３４の壁面に間欠的にビス固定されている。
【００４２】
パネル固定部７５ｂは、枠固定部７５ａから第１枠部３１側に延出し、第２天井パネルユニット６ｂの固定部本体６５ｃに当接するようになっている。
【００４３】
第２受け部材８ａは、アルミニウムあるいはアルミニウム合金製型材で形成されていて、図１４、図１５に示すように、枠固定部８１と、ユニット係止部８２を備えている。
そして、第２受け部材８ａは、図１８（ｂ）に示すように両第２ユニット支持部材７ｂと第１受け部材７ｃとの間の第２枠部３２あるいは第３枠部３３の壁面に２つずつ設けられていて、枠固定部８１が第２枠部３２あるいは第３枠部３３の壁面にビス固定されている。
【００４４】
また、枠固定部８１は、下方にスリット形成部８１ａが設けられていて、第２枠部３２あるいは第３枠部３３にビス固定された状態で、スリット形成部８１ａと第２枠部３２あるいは第３枠部３３との間に後述する固定部材８ｂの位置決めスリットＳが形成されるようになっている。
ユニット係止部８２は、梁受部７４ａの先端から延出し、リベット６０からずれた位置で第３係合部材６４のベース部６４ａの頂部に当接するようになっている。
【００４５】
固定部材８ｂは、固定部本体８４と、位置決め部８５を備えている。
固定部本体８４は、第２ユニット支持部材７ｂの支持部材本体７４と同様の形状をしている。
【００４６】
横梁材９ａは、アルミニウムあるいはアルミニウム合金製型材であって、矩形の筒状をしていて、第２枠部３２と第３枠部３３間の距離より少し短い長さをしている。
【００４７】
そして、このカーポートＡは、以下のようにして内天井５ａが形成される。
（１）図１６（ａ）に示すように、第１ユニット支持部材７ａを第１枠部３１に、第２ユニット支持部材７ｂを第２枠部３２および第３枠部３３の第１枠部３１側にそれぞれ固定する。
（２）最も第１枠部３１側に配置される１枚目の第１天井パネルユニット６ａの第１係合部材６２側を第１枠部３１方向に向けるとともに、図１１に示すように、天井パネル６１の下端面を、第２ユニット支持部材７ｂのパネル受部７４ｂに受けられるとともに、第３係合部材６４の係合部本体６４ｂがユニット係止部７４ｃの下方に配置されるようにセットし、図８および図１６（ｂ）に示すように、第１天井パネルユニット６ａを第１枠部３１方向にスライドさせて、図９に示すように、係合突部６２ｄを第１ユニット支持部材７ａの係合突部係合部７２にはまり込むようにする。
（３）図１７（ａ）および図９に示すように、第２係合部材６３の梁固定部６３ｂの固定部本体６３ｄを上方から臨むように、横梁材９ａを第２ユニット支持部材７ｂ間に掛け渡し、横梁材９ａの両端を図１１に示すように第２ユニット支持部材７ｂにビス固定する。
なお、横梁材９ａは、図９に示すように、第１天井パネルユニット６ａをスライドさせて所定位置にセットする前に予め第２ユニット支持部材７ｂ間に掛け渡された状態となっていても構わない。
（４）図１７（ａ）および図１０に示すように、固定部本体６３ｄを横梁材９ａにビスで間欠的に固定する。すなわち、この固定によって、１枚目の第１天井パネルユニット６ａが所定の設置位置に固定される。
（５）図９に示すように、１枚目と同様にして、２枚目の第１天井パネルユニット６ａを天井パネル６１の長手方向の両側が、第２ユニット支持部材７ｂに支持された状態で、上記のようにして固定された第１天井パネルユニット６ａ側にスライド移動させ、図１０に示すように、２枚目の第１天井パネルユニット６ａの係合突部６２ｄを１枚目の第１天井パネルユニット６ａの係合溝６３ｆにはまり込ませたのち、図１０に示すように、２枚目の第１天井パネルユニット６ａの固定部本体６３ｄを横梁材９ａにビスで間欠的に固定する。この状態で、１枚目の第１天井パネルユニット６ａの天井パネル６１と、２枚目の第１天井パネルユニット６ａの天井パネル６１とが１．５ｍｍ程度と極僅かな隙間を介して端面が突き合った状態になる。
（６）図１７（ｃ）および図１８（ａ）に示すように、（５）と同様にして３枚目および４枚目の第１天井パネルユニット６ａを所定位置に固定する。
（７）図１８（ｂ）示すように、第４枠部３４に第１受け部材７ｃをビス固定するとともに、第２受け部材８ａを第２枠部３２と第３枠部３３の、４枚目の第１天井パネルユニット６ａと第１受け部材７ｃの間に２つずつビス固定する。
（８）図１２に示すように、第２天井パネルユニット６ｂの第１係合部材６２の係合突部６２ｄを４枚目の第１天井パネルユニット６ａの係合溝６３ｆに係合させた状態で、係合突部６２ｄの先端を支点にして、第４係合部材６５側を上方に持ち上げ、第４係合部材６５の溝部６５ｃの上底を第１受け部材７ｃのパネル固定部７５ｂに突き当てた状態で、図１３に示すように溝部６５ｃの上底をパネル固定部７５ｂにビス固定する。
（９）図１４に示すように、固定部材８ｂを第２受け部材８ａの下方に配置するとともに、
固定部材８ｂを第２枠部３２あるいは第３枠部３３の壁面に沿わせながら上方に持ち上げ、図１５に示すように、位置決め部８５を位置決めスリットＳにスライド嵌合させたのち、
の下端開口を臨むように配置させた状態で、固定部本体８４をユニット係止部８２にビス固定する。
（１０）図１３に示すように、蓋部材６６を蓋本体部６６ａが第４係合部材６５の溝部６３ｃの下端開口を塞ぐように第４係合部材６５に装着する。この装着によって、第４係合部材６５の溝部６３ｃおよび固定用ビスが天井５ａの下方から見えなくなる。
（１１）図１１および図１５に示すように、蓋部材６６を蓋本体部６６ａが凹溝７２ｂおよび固定部本体８４の凹溝の下端開口を塞ぐように、第２天井パネルユニット６ｂの第１枠部６２側端から固定部材６ｂの第４枠部３４側端まで装着する。この装着によって、横梁材９ａの固定用ビスおよび第２受け部材８ａと固定部材８ｂとの固定用ビスが天井５ａの下方から見えなくなるとともに、第２天井パネルユニット６ｂと固定部材８ｂの継ぎ目部分も見えなくなる。
【００４８】
このカーポートＡの天井構造は、上記のようになっており、以下のような優れた効果を奏する。
（１）天井５ａ形成部の下側からの作業のみで天井５ａを作製することができる。
（２）終端部の第２天井パネルユニット６ｂ以外は、すなわち、４枚の第１天井パネルユニット６ａが両側の第２ユニット支持部材７ｂに、その長手方向の両側を支持された状態でスライド移動させるだけで、所定の位置にセットすることができる。したがって、第１天井パネルユニット６ａをビス固定する間、第１天井パネルユニット６ａを下側から支えなくてもよいので、作業性がよい。
（３）第１天井パネルユニット６ｂが横梁材９ａに固定されているため、天井パネル６１の垂れ下がりが防止できる。
【００４９】
図２０は、別の態様の第１天井パネルユニット６ｃをあらわしている。
図２０に示すように、この第１天井パネルユニット６ｃは、天井パネル６１の撓み防止のために、天井パネル６１の上面にアルミニウムあるいはアルミニウム合金製の四角筒形をした型材で形成された補強バー６７を接着固定した以外は、上記第１天井パネルユニット６ａと同様の構成をしている。
【００５０】
この第１天井パネルユニット６ｃは、上記のように補強バー６７を備えているので、天井パネル６１のたわみを少なくすることができる。
また、この第１天井パネルユニット６ｃの装着部の補強バー６７の直上部分に、横梁材９ａを両側の第２パネル支持部材７ｂ間に掛け渡すとともに、両端を第２パネル支持部材７ｂに固定しておくようにすれば、強風による吹き上がり等によって天井パネル６１が吹き上げられようとしても、補強バー６７が直上の横梁材９ａによって押さえられるので、天井パネル６１がひずむことがない。
なお、補強バー６７は、木、金属、合成樹脂、無機材料、あるいはこれらの複合材料が挙げられ、中実でも構わない。
【００５１】
図２１は、別の態様の第２天井パネルユニット６ｄをあらわしている。
図２１に示すように、この第２天井パネルユニット６ｄは、天井パネル６１の撓み防止のために、天井パネル６１の上面に上記第１天井パネルユニット６ｃと同様の補強バー６７が接着固定されているとともに、横梁材９ａが、第３係合部材６４間に掛け渡されるとともに、補強バー６７にビス固定されている以外は、上記第２天井パネルユニット６ｂと同様になっている。
【００５２】
図２２は、本発明の天井構造を備えたカーポートの第２の実施の形態をあらわしている。
図２２に示すように、このカーポートＢは、屋根部Ｒ２がアーチ状になっていて、天井５ｂが、図３２に示すように、４枚の第１天井パネルユニット６ｅ、４枚の第２天井パネルユニット６ｆ、１枚の第３天井パネルユニット６ｇ、１枚の第６天井ユニット６ｈを用いて以下のようにして形成される。
【００５３】
すなわち、第１天井パネルユニット６ｅは、図２３に示すように、天井パネル６１の長手方向の一端に、第３係合部材６４に代えて、第２係合部材６３をリベット６０で固定した以外は、第１天井パネルユニット６ａと同様の構成になっている。
第２天井パネルユニット６ｆは、図２４に示すように、天井パネル６１の長手方向の他端に、第３係合部材６４に代えて、第１係合部材６２をリベット６０で固定した以外は、第１天井パネルユニット６ａと同様の構成になっている。
【００５４】
第３天井パネルユニット６ｇは、図２５に示すように、天井パネル６１の長手方向の一端に、第３係合部材６４に代えて、第２係合部材６３をリベット６０で固定した以外は、第２天井パネルユニット６ｂと同様の構成になっている。
第３天井パネルユニット６ｈは、図２６に示すように、天井パネル６１の長手方向の他端に、第３係合部材６４に代えて、第１係合部材６２をリベット６０で固定した以外は、第２天井パネルユニット６ｂと同様の構成になっている。
【００５５】
そして、この天井５ｂは、以下のようにして施工される。
（１）図２９（ａ）に示すように、上記カーポートＡと同様に、躯体枠部３ｂの第１枠部３１に第１ユニット支持部材７ａを、第２枠部３２および第３枠部３３に第２ユニット支持部材７ｂをビス固定する。
（２）図２９（ｂ）に示すように、１枚目の第１天井パネルユニット６ｅを天井パネル６１および第３係合部材６４が第２枠部３２の第２ユニット支持部材７ｂに支持されるとともに、図示していないが、上記第１天井パネルユニット６ａと同様に、第１天井パネルユニット６ｅの第１係合部材６２の係合突部６２ｄが第１ユニット支持部材７ａの係合突部係合溝７２にはまり込むように設置する。
（３）図３０（ａ）に示すように、横梁材９ａを第２ユニット支持部材７ｂ間に掛け渡すとともに、横梁材９ａの端部を第２ユニット支持部材７ｂにビス固定した状態で、第１天井パネルユニット６ｅの天井パネル６１の長辺側に設けられた第２係合部材６３の固定部本体６３ｄを図２２に示すように横梁材９ａにビス固定する。
（４）図３０（ｂ）に示すように、第１天井パネルユニット６ｅの短辺側に設けられた第２係合部材６３の固定部本体６３ｄ上に縦梁材９ｂを配置し、図示していないが、縦梁材９ｂの一端を、第１ユニット支持部材７ａのユニット係止部７３の上面に受けさせてユニット係止部７３にビス固定するとともに縦梁材９ｂの他端を断面Ｌ形の金具７２を介して横梁材９ａの側面にビス固定する。
（５）図２２および図２７に示すように、縦梁材９ｂに第１天井パネルユニット６ｅの短辺側に設けられた第２係合部材６３の固定部本体６３ｄをビス固定する。
（６）図２２に示すように、天井パネル６１および第３係合部材６４が第３枠部３３の第２ユニット支持部材７ｂに支持されるとともに、天井パネル６１の短辺側に設けられた第１係合部材６２の係合突部６２ｄを第１天井パネルユニット６ｅの天井パネル６１の短辺側の第２係合部材６３の係合溝６３ｆに係合させながら、図３１（ａ）に示すように、１枚目の第２天井パネルユニット６ｆを、矢印方向にスライドさせて、第２天井パネルユニット６ｇの第１係合部材６２の係合突部６２ｄを第１ユニット支持部材７ａの係合突部係合溝７２にはまり込ませる。
（７）第２天井パネルユニット６ｆの第２係合部材６３の固定部本体６３ｄを図２２に示すように横梁材９ａにビス固定する。
（８）図３１（ｂ）に示すように、２枚目の第１天井パネルユニット６ｅを天井パネル６１および第３係合部材６４が第２枠部３２の第２ユニット支持部材７ｂに支持されるとともに、図示していないが、上記第１天井パネルユニット６ａと同様に、１枚目の第１天井パネルユニット６ｅの長辺側の第２係合部材６３の係合溝６３ｆに係合突部６２ｄを係合するように設置する。
（９）横梁材９ａを第２ユニット支持部材７ｂ間に掛け渡すとともに、横梁材９ａの端部を第２ユニット支持部材７ｂにビス固定した状態で、２枚目の第１天井パネルユニット６ｅの天井パネル６１の長辺側に設けられた第２係合部材６３の固定部本体６３ｄを図２２に示すように横梁材９ａにビス固定する。
（１０）２枚目の第１天井パネルユニット６ｅの天井パネル６１の短辺側の第２係合部材６３の固定部本体６３ｄ上に縦梁材９ｂを配置し、その両端を両側の横梁材９ａにそれぞれＬ字金具９２を介してビス固定する。
（１１）図示していないが、２枚目の第２天井パネルユニット６ｆの天井パネル６１および第３係合部材６４が第３枠部３３の第２ユニット支持部材７ｂに支持されるとともに、天井パネル６１の短辺側に設けられた第１係合部材６２の係合突部６２ｄを第１天井パネルユニット６ｅの天井パネル６１の短辺側の第２係合部材６３の係合溝６３ｆに係合させながら、１枚目の第２天井パネルユニット６ｆ側にスライドさせて、１枚目の第２天井パネルユニット６ｆの長辺側の第２係合部材６３の係合溝６３ｆに、２枚目の第２天井パネルユニット６ｆの長辺側の第１係合部材６２の係合突部６２ｄをはめ込む。
（１２）２枚目の第２天井パネルユニットの長辺側の第２係合部材６３の固定部本体６３ｄを横梁材９ａにビス固定する。
（１３）上記（１０）〜（１２）の工程を繰り返し、３枚目、４枚目の第１天井パネルユニット６ｅ，第２天井パネルユニット６ｆを所定の位置に固定する。
（１４）図２８に示すように、第１受け部材７ｃを第４枠部３４にビス固定するとともに、図示していないが、上記第１の実施の形態と同様にして、第２受け部材８ａを第２枠部３２および第３枠部３３にそれぞれビス固定する。
（１５）図２８に示すように、第３天井パネルユニット６ｇの長辺側の第１係合部材６２の係合突部６２ｄを４枚目の第１天井パネルユニット６ｅの長辺側の第２係合部材６３の係合溝６３ｆに係合させるとともに、上記第１の実施の形態と同様に、第４係合部材６５の端部固定部６５ｂを第１受け部材７ｃにビス固定する。
（１６）図示していないが、第１の実施の形態と同様にして第２枠部３２側の固定部材８ｂを第２受け部材８ａに固定する。
（１７）縦梁材９ｂを第３天井パネルユニット６ｇの短手側の第２係合部材６３の固定部本体６３ｄ上に配置し、その一端を第１受け部材７ｃに受けさせるとともに、Ｌ字金具９２を介して他端を横梁材９ａにビス固定する。
（１８）縦梁材９ｂに第３天井パネルユニット６ｇの短手側の第２係合部材６３の固定部本体６３ｄをビス固定する。
（１９）第４天井パネルユニット６ｈの長辺側の第１係合部材６２の係合突部６２ｄを４枚目の第２天井パネルユニット６ｆの第２係合部材６３の係合溝６３ｆにはめ込むとともに、第４係合部材６５の端部固定部６５ｂを第１受け部材７ｃのパネル固定部７５ｂに当接させた状態で第４天井パネルユニット６ｈの短手側の第１係合部材６２の係合突部６２ｄが第３天井パネルユニット６ｇの短手側の第２係合部材６３の係合溝６３ｆにはまり込むまで第４天井パネルユニット６ｈを第３天井パネルユニット６ｇ側にスライドさせる。
（２０）第４係合部材６５の端部固定部６５ｂを第１受け部材７ｃのパネル固定部７５ｂにビス固定する。
（２１）第３枠部３３側の固定部材８ｂを第２受け部材８ａにビス固定する。
（２２）第１の実施の形態と同様にして蓋部材６６を装着する。
【００５６】
この天井５ｂの構造は、第１に実施の形態と同様の効果を備えているとともに、縦梁材９ｂによって、第１天井パネルユニット６ｅおよび第２天井パネルユニット６ｆの接合部および第３天井パネルユニット６ｇおよび第４天井パネルユニット６ｈの接合部が支持されるため、接合部での垂れ下がりを防止できる。
【００５７】
本発明は、上記の実施の形態に限定されない。上記の実施の形態では、天井パネルがアルミニウム複合板で形成されていたが、アクリル樹脂板、ポリカーボネート板、ガラス板、無機板でも構わない。
上記の実施の形態では、カーポートの天井構造であったが、本発明の天井構造は、他の屋外施設の天井だけでなく、既存の家屋の天井リフォームにも用いることができる。
【００５８】
上記の実施の形態では、天井パネルが樹脂板を金属材料で挟まれていた複合材料で形成されていたが、アクリル樹脂、ポリカーボネート樹脂、ガラスなどの透明板や着色された樹脂板を用いても構わない。
上記の実施の形態では、各係合部材がリベットを用いて天井パネルに固定されていたが、リベットの代わりにビスや接着剤を用いても構わない。
【００５９】
上記の実施の形態では、蓋部材が合成樹脂で形成されていたが、合成樹脂に代えて、ステンレス鋼やばね鋼などの金属材料で形成されていても構わないし、また、複合材料で形成されていても構わない。
【符号の説明】
【００６０】
Ａ、Ｂ  カーポート
１ａ  屋根部
２  支柱
３ａ  躯体枠部
３１  第１枠部
３２  第２枠部
３３  第３枠部
３４  第４枠部
４ａ  屋根本体部
４０  屋根材支持枠部
４１  垂木
４２  屋根材
４３  前枠
４４  後枠
４４ａ  横樋部
５ａ、５ｂ  内天井
６ａ  第１天井パネルユニット
６ｂ  第２天井パネルユニット
６ｃ  第１天井パネルユニット
６ｄ  第２天井パネルユニット
６ｅ  第１天井パネルユニット
６ｆ  第２天井パネルユニット
６ｇ  第３天井パネルユニット
６ｈ  第４天井パネルユニット
６０  リベット
６１  天井パネル
６２  第１係合部材
６２ａ  ベース部
６２ｂ  係合部本体
６２ｃ  立上り部
６２ｄ  係合突部
６３  第２係合部材
６３ａ  ベース部
６３ｂ  梁固定部
６３ｃ  立上り部
６３ｄ  固定部本体
６３ｅ  ビス挿通孔
６３ｆ  係合溝
６４  第３係合部材
６５  第４係合部材
６５ａ  ベース部
６５ｂ  端部固定部
６５ｃ  固定部本体
６６  蓋部材
６６ａ  蓋本体
６６ｂ  弾性嵌合部
６７  補強バー
７ａ  第１ユニット支持部材（奥行き受け材）
７ｂ  第２ユニット支持部材
７ｃ  第１受け部材
７１  枠固定部
７２  係合突部係合部
７２ａ  係合溝
７３  ユニット係止部
７４  支持部材本体
７４ａ  梁受部
７４ｂ  パネル受部
７４ｃ  ユニット係止部
７４ｄ  凹溝
７５ａ  枠固定部
７５ｂ  パネル固定部
８ａ  第２受け部材
８ｂ  固定部材
８１  枠固定部
８１ａ  スリット形成部
８２  ユニット係止部
８３  連結部
８４  固定部本体
８５  位置決め部
９ａ  横梁材
９ｂ  縦梁材
９２  Ｌ字金具
Ｒ１、Ｒ２  屋根面
Ｓ  位置決めスリット
【図１】
2019027039.tif 000003
【図２】
2019027039.tif 000004
【図３】
2019027039.tif 000005
【図４】
2019027039.tif 000006
【図５】
2019027039.tif 000007
【図６】
2019027039.tif 000008
【図７】
2019027039.tif 000009
【図８】
2019027039.tif 000010
【図９】
2019027039.tif 000011
【図１０】
2019027039.tif 000012
【図１１】
2019027039.tif 000013
【図１２】
2019027039.tif 000014
【図１３】
2019027039.tif 000015
【図１４】
2019027039.tif 000016
【図１５】
2019027039.tif 000017
【図１６】
2019027039.tif 000018
【図１７】
2019027039.tif 000019
【図１８】
2019027039.tif 000020
【図１９】
2019027039.tif 000021
【図２０】
2019027039.tif 000022
【図２１】
2019027039.tif 000023
【図２２】
2019027039.tif 000024
【図２３】
2019027039.tif 000025
【図２４】
2019027039.tif 000026
【図２５】
2019027039.tif 000027
【図２６】
2019027039.tif 000028
【図２７】
2019027039.tif 000029
【図２８】
2019027039.tif 000030
【図２９】
2019027039.tif 000031
【図３０】
2019027039.tif 000032
【図３１】
2019027039.tif 000033
【図３２】
2019027039.tif 000034
【図３３】
2019027039.tif 000035